【事件の表示】
　特許第２９７５３０１号「光源装置」の請求項１、２に係る特許に対する特許異議の申立てについて、次のとおり決定する。
【結　論】
　訂正を認める。
　特許第２９７５３０１号の請求項１、２に係る特許を取り消す。
【理　由】
【1】手続の経緯
　特許第2975301号の請求項1、2に係る発明は、平成7年12月14日に出願され、平成11年9月3日にその設定登録がなされ、その後、申立人 溝呂木寛より特許異議申立がなされ、取消理由通知がなされ、その指定期間内である平成12年9月18日に訂正請求がなされたものである。
　
【2】訂正の適否についての判断
《2-1》訂正の要旨
　平成12年9月18日付け訂正請求書にて、特許権者が求めている訂正の内容は、以下のa、bのとおりである。
　訂正事項a:明細書の第1頁の特許請求の範囲における請求項1において、「以下の数式1と数式2と数式3を満たすように設定したことを特徴とする光源装置。」とあるのを、「以下の数式1と数式2と数式3を満たすように設定し、かつ、上記ランプと、上記テーパファイバと、上記ランプを作動させる電源とを、同一ケーシングに内蔵したことを特徴とする光源装置。」と訂正する。
　訂正事項b:明細書の【符号の説明】に、「1 電源」を追加する。
　
《2-2》訂正の目的の適否、新規事項の有無及び拡張・変更の存否
　上記訂正事項a、bは願書に添付した明細書及び図面に記載した事項の範囲内で、それぞれ、特許請求の範囲の減縮、不明りょうな記載の釈明を目的とするものであり、これらの訂正は実質上特許請求の範囲を拡張し、又は変更するものでもない。
　
《2-3》むすび
　以上のとおりであるから、上記訂正は、特許法第120条の4第2項並びに同条第3項で準用する同第126条第2項及び同第3項にて規定する要件を満たすものである。
　
【3】特許異議の申立てについての判断
《3-1》申立ての理由の概要
　申立人 溝呂木寛は、甲第1〜5号証を提示し、本件の請求項1、2に係る発明は、甲第1〜5号証の刊行物に記載された発明に基づいて、当業者が容易に発明をすることができたものであるから、特許法第29条第2項の規定に違反して特許されたものであり、取り消されるべきものである旨主張している。
　
《3-2》本件の発明
　本件の請求項1、2に係る発明は、平成12年9月18日付け訂正請求書にて訂正された特許請求の範囲の請求項1、2項に記載された事項によって特定される以下のとおりのものである。
　「【請求項1】ランプとライトガイド基端面との間に、光端側へしだいに縮径状のテーパファイバを介装し、かつ、上記ランプをその出射角が20°以下の光成分の比率が前方全光量の1/2以上であるところの低出射角の高輝度ランプとすると共に、上記テーパファイバの入射端の外径をD1、テーパファイバの入射の開口数をNA1、テーパファイバの出射端の外径をD2、テーパファイバの出射の開ロ数をNA2、ライトガイドの外径をD0、コア/クラッド間の屈折率より定まるテーパファイバ固有の開ロ数をNA0としたとき、以下の数式1と数式2と数式3を満たすように設定し、かつ上記ランプと、上記テーパファイバと、上記ランプを作動させる電源とを、同一ケーシングに内蔵したことを特徴とする光源装置。
【数1】
0.9≦D2/D0≦1.5
【数2】
1.1≧(D1・NA1)/(D2・NA2)≧0.7
【数31
NA2≦ 1.1・NA0　
　【請求項2】テーパファイバが多成分ガラスファイバ母材から作られ、そのテーパファイバ固有の開口数NA0を、0.4以上とした請求項1記載の光源装置。」(以下、請求項順に、それぞれ「本件発明1」、「本件発明2」という。)
　
《3-3》甲第1〜5号証の刊行物における記載事項
[甲第1号証: 特開平06-030898号公報]
　段落【0001】
「【産業上の利用分野】本発明は概して医療装置、特に内視鏡に関する。本発明は特に、但し独占的にではなく、内視鏡組立体の光源が関節鏡の把持式ハウジング内へ奥深く取り付けられている関節鏡用などの改良された内視鏡の構成に関する。」
　段落【0016】
「ここで図2につき説明する。同図には改良された関節鏡10が断面で示され、ハウジング30、ハウジング30へ取外し自在に取り付けられた使捨て関節鏡スコープ組立体32、およびハウジング30内に取り付けられたカメラ組立体34を包含している。小形ライト36即ち小形ライト・バルブを包含する内部光源35も、関節鏡スコープ組立体32と光連通して、ハウジング30内に取り付けられる。内部光源35はまた、小形ライト36から関節鏡スコープ組立体32へ光を伝送する光透過装置39を包含している。光透過装置39は小形ライト36からスコープ組立体32への光の伝送を最大化するようにされ且つ、以降に説明する構成諸要素の多数または全てを包含することもできる。」
　段落【0022】
「ここで図3につき説明する。同図には前部管52、光源35および光透過装置39が略図形式で示されている。内部光源35には、中心線72に沿って取り付けられた小形ライト36が包含されている。また内部光源35には、小形ライト36からの光をスコープ38の照明ファイバ束48の照明ファイバ42へ伝送する光透過装置39も包含されている。
　段落【0023】
「光透過装置39は、小形ライト36からの光を照明ファイバ束48内に通す光ファイバ・テーパ80を包含することもできる。光透過装置はまた、小形ライト36から照明ファイバ束へアウトプットされる光の若干を反射する放物面反射鏡84を包含することもできる。更に光透過装置39は、照明ファイバ束48内へ光を集めて通すべく、ファイバ束48の近位端部に並置された照明GRINレンズ50を包含することもできる。使捨てスコープ38の場合、この種のGRINレンズ50は、ハウジング30に位置する照明光学素内に統合される。最後に、光透過装置は、積分球86を包含することもできる。この種の積分球86は、内部光源からの光の全てを集め、その光を単一の開口部を経て逃散させるべく機能する、被覆された球状バルブの形をなすこともできる。」
　段落【0024】
「小形ライト・バルブ36は、なるべくなら、そのサイズの割には比較的に高い出力を生成する形式の小形ライト・バルブであることが望ましい。限定ではなく、例示として、約20,000lxの出力を生成する焦点を合わされたレンズ・エンド・ランプのような、直流5V(5VDC)、1.4Aのハロゲン・テクニカル・ランプ(Halogen technical lamp)がこの用途に適している。小形ライト36のために外部電力線112(図2)を備えることもできる。光源としての小形ライト36の場合には、小形ライト36の出力の大部分が照明ファイバ束48へ伝送されることが重要である。
　段落【0025】
「図4から図7には、小形ライト36および光透過装置39の各種の構成が示されている。図4の場合には、小形ライト36'からの光を反射すべく、放物面反射鏡84が小形ライト36'の回りに置かれている。反射鏡84は、回転放物面として付形されている。放物面反射鏡84は、反射された光を、集束レンズ68を通されて照明ファイバ束48上に集束される光の円柱に形成する。集束レンズ68に非球面レンズの形態であっても良い。
　段落【0026】
「図5の場合、小形ライト36''は、小形ライト36''からの光を照明ファイバ束48内へ通すようにされたテーパ部分80と光連通することもできる。テーパ部分80は、反射防止(AR)被覆を有する光ファイバ材料で形成することもできる。この種のAR被覆は、テーパ部分80の表面で発生する反射損失(即ちフレネル(Fresnel))を低減するように選定することもできる。更にまた、テーパ部分80には、照明ファイバ束48(または照明ファイバ束48に付けられたGRINレンズ・ロッド50)の開口数(N.A.)と厳密に整合するテーパ角度を形成することもできる。このテーパ角度により、テーパ部分80からの照明出力円すいを、既知の照明角度で照明ファイバ束48に向けることができる。一例として、この種の小形ライト36''は、商業的に入手可能な、一体集束レンズを有するバルブであっても良い。」
　段落【0027】
「図6の場合、集束レンズ・ライト・バルブ36'''は、焦点面49およびGRINレンズ・ロッド50を通る照明ファイバ束48への光を集束するようにされても良い。この種の集束レンズ・ライト・バルブ36'''はまた、一体集束レンズを備えたバルブであっても良い。」
　段落【0028】
「図7の場合、ライト・バルブ36''''は、極めて反射性の白色コーティングにより内側を被覆された積分球86を包含することもできる。球形バルブ上の小さい非被覆部分88により、光は選定された角度にのみ逃散することができる。これらの角度は、照明ファイバ束48の照明ファイバ42の開口数以内となるように選択される。」
　段落【0029】
「図4から図7に示された何れの集成装置についても、基本的に、小形ライト36からの光出力の全てが照明ファイバ束48へ伝送される。目的は、最大光エネルギを集め、この光を照明ファイバ束48へ伝達することにある。次いでこの光は、ファイバ束48の個々の照明ファイバ42を通り、身体の内部構造を照明すべく、たわみ性スコープ38の目視端部46の外へ進む。次いでこの光はスコープ38のイメージ・ガイド58によって集められ、サファイア窓54および集束光学素子56を介し伝送されて身体のイメージを形成する。」
　段落【0030】
「小形ライト36から照明ファイバ束48へ光を伝送するため、図4から図7に示す小形ライト36および光透過装置39用に上記諸構造体を備えることに加えて、関節鏡10に最も適した色スペクトル内に小形ライト36を過剰作動させることも有利である。概してこの種のシフトは、青色可視光線領域内および赤外線領域外に対するものである。このシフトはまた、全体的な光子フラックスを増大させる。」
　段落【0031】
「本発明に従って構成された小形ライト36および光透過装置39(図4から図7)を用いれば、たわみ性スコープ組立体32の目視端部46における最終的な光出力は、強力なキセノンまたはハロゲン化金属のライト・バルブを用いる外部光源のそれと等価である。この種の外部システムの場合、当初の光エネルギは、それが使用点に伝達された時までに、その98%までが失われることが珍しくない。」
　段落【0036】
「図12の場合、内部電源としての電池パック102と接眼レンズ104とが関節鏡100に包含されている。この種の関節鏡100はまた、既に説明された如く、内部光源36を包含することもできる。図13の場合、関節鏡106は、接眼レンズ104および、ハンドルとして形成された電池パック108を包含することができる。」
　
　以上の記載及び図3、5、12からみて、甲第1号証には、「特に内視鏡に関し、そのサイズの割には比較的に高い出力を生成する形式の一体集束レンズを有する小形ライト36''からの出力の大部分が照明ファイバ束48へ伝送されるように、小形ライト36''は、小形ライト36''からの光を照明ファイバ束48内へ通すようにされた光透過装置39のテーパ部分80と光連通し、テーパ部分80には、照明ファイバ束48の開口数(N.A.)と厳密に整合するテーパ角度を形成し、光透過装置39は小形ライトからスコープ組立体への光の伝送を最大化するようにされ、小形ライト36''とテーパ部分80とは内部光源35の収納部分に内蔵され、内部電源としての電池パック102は、接眼レンズ104を包含する関節鏡100に包含され又はハンドルに設けられている内視鏡組立体の光源」なる発明が記載されている。
　
[甲第2号証:特開昭53-5645号公報](以下の記載において、丸付きHを「○H」と表記する。)
　甲第2号証は、「端部断面形状が互いに相似又は異なる2つのライトガイドを結合するライトガイド結合装置に関する」(第1頁右欄4〜6行)ものである。
　第1頁右欄10〜17行には「例えば内視鏡(フアイバースコープ、硬性鏡)等に使用される端部断面形状の一致しない2種類のライトガイドを結合するため、従来は…第1図bに示す如く、両端部間をテーパ形フアイバー束から成る結合装置4で結合させて集光させていた。」と記載されている。
　第2頁右上欄13〜19行には「この案内面7を、第2図aに示す結合装置の例のように、均質・透明な第1光伝送媒質から成るコア部8と、このコア部の外周に被覆されかつこの第1光伝送媒質の屈折率より小さい屈折率を有する均質・透明な第2光伝送媒質から成るコート部9との境界面を以って構成することができる。」と記載されている。
　
　[甲第3号証: 米国特許第5,418,420号明細書]
　甲第3号証は、「一般にアークランプに関し、具体的には、狭い光ビームの制御のための曲率の異なる反射鏡表面を備えたランプに関する」(第1欄9〜11行)ものである。
　第1欄13〜58行には「ショートアークランプは、医療用の内視鏡、計測、および投影の用途において、反射鏡での集光を可能にする強力な点光源を提供するものである。また、ショートアークランプは、ジェットエンジン内部点検用の工業用内視鏡で使用されている。… しかし、従来型ランプでは、その出力を狭いビームに十分に集束させることができない。従来のものよりも効率良くビームを制御することが、狭いビームの放出を改善するために必要であり、それによって、特定用途において更に効率良くかつ効果的に動作するようになる。」と記載され、第2欄44行〜第5欄11行には「図2では、全体参照番号40を用いて本明細書で参照している本発明のアークランプ実施例を図示している。… 3枚組の反射鏡42、44、および46により、5°の全ビーム角内で最大の50%までその強度が低下する「フラット・トップ」ビームを提供する。従来型の放物面に基づくランプでは、同様の5°の角度で、最大の17%までしか強度が減少しない。・・・図3では、全体参照番号60を用いて本明細書で参照している本発明の別のアークランプ実施例を図示している。… 3枚組み合わせた反射鏡62、64、および66により、5°の全ビーム角内で最大の70%までその強度が低下する「フラット・トップ」ビームを提供する。従来型の放物面に基づくランプでは、同様の5°の角度で、最大の17%までしか強度が減少しない。・・・図4では、従来型アークランプと、ランプ40または60のような本発明のアークランプとの比較試験の結果を示す。本発明の3反射鏡のトリプレット構造では、曲線80で表される出力を発生した。標準放物面型の従来型アークランプでは、曲線82で表される光出力を発生した。0° のビーム角を中心として、曲線80は、曲線82よりも頂部が広く平坦である。」と記載されている。
　
　[甲第4号証: 特開平07-067832号公報]
　段落【0001】
「【産業上の利用分野】本発明は、照明効率が良く、かつ小型化が可能な内視鏡装置の光源ユニットに関するものである。」
　段落【0013】
「【実施例】以下、本発明の好ましい実施例について、図面を参照しながら説明する。実施例1.図1は、本発明の一実施例における内視鏡装置の光源ユニットを示す構成図である。同図において、ロッドファイバーとしてのコニカルコンジット8が集光レンズ6と光伝送部材としての照明用ファイバーバンドル10との間に挿入され、コニカルコンジット8の出射面9には照明用ファイバーバンドル10が接着されている。また、コニカルコンジット8の入射面7は、集光レンズ6側に面している。この集光レンズ6の焦点距離は、光源2と集光レンズとの距離及び、集光レンズ6と光ファイバーバンドル10の端面との距離より短くなっており、その焦点は、コニカルコンジット8内部に設定されている。なお、従来例と同一符号は同一要素であり、その説明は省略する。」
　段落【0014】
「このような構成において、集光レンズ6により、集光された光4は、コニカルコンジット8に入力され、照明用ファイバーバンドル10に伝送される。図2はコニカルコンジット8の断面図である。同図において、ロッドファイバーとしてのコニカルコンジット8は第1媒質としてのコア21と第2媒質としてのクラッド23により形成さたファイバーの一種であり、例えば、(コアの屈折率)2-(クラッドの屈折率)2 =NA2=0.572のような関係を有している。コニカルコンジット8は、その両端面を平面としたコーン状に形成されている。コニカルコンジット8の両端面を除き、コア21の全外周囲に密着してクラッド23が被覆されている。コニカルコンジット8の両端面のうち一端面が、その集光レンズ6により集光された光4が入射される入射面7として形成され、コニカルコンジット8の両端面のうち他端面が、上記入射面7から入射される光4をその照明用ファイバーバンドル10に出射する出射面9として形成されている。上記入射面7の直径a1 よりも上記出射面9の直径a2 の方が大きく形成されている。入射面7に入射角θ1 で入射した光4は、境界面22で反射され出射面9から出射角θ2 で出射している。」
　なお、甲第4号証の記載において、段落【0014】の「NA2」は「NA2」の誤記であることは当業者に明らかである。
　
[甲第5号証: 特開昭57-17903号公報]
　甲第5号証は、「光学繊維束の端部発熱防止装置、詳しくは、光源装置からの照明光を一端部に入射させ、これを他端部に伝送する光学繊維束における上記入射端部の発熱防止装置に関する(第1頁右欄1〜4行)」ものである。
　第3頁右上欄9〜18行には「又光源からの照明光を有効に利用するには、これが上記防熱用部材2の入射端面の前後で適宜に集束されて入射された方が効果的である。そのためには、上記防熱用部材を、第5,6図に示すように、光学繊維束1の入射端面laに相対する面8b,9bを同端面laと同形とすると共に、光源からの照明光を入射する入射端面8a,9aを大径にした末拡がりの円錐環体状に形成した防熱用部材8,9を用いることは極めて有効である。」と記載されている。
　第3頁右上欄6〜9行に「実際には実用径が2〜3.5mmφの光学繊維束1の端部に上記第1図(A),(B)に示すように光源からの照明光を集束させることは光源装置の構成上容易ではない。」と記載されている。
　更に、第2頁右下欄4〜9行には「第2図は、本発明の一実施例を示す光学繊維束の端部発熱防止装置の断面図である。本発明においては、光学繊維束1の照明光入射端面laに、同繊維束1の外径とほゞ同じ外径を有する耐熱性透明体からなる短環状の防熱用部材2が設置されている。」と記載され、同欄15〜18行には「上記耐熱性透明体としては、高屈折率を有する光学ガラス(例えばF2ガラス)、…が好適である。」と記載されている。
　
《3-4》対比・判断
《3-4-1》(本件発明1)
《3-4-1-1》対比
　本件発明1と甲第1号証刊行物に記載された発明(以下、「引用発明」という。)とを対比する。
　引用発明における
(1)「サイズの割には比較的に高い出力を生成する形式の一体集束レンズを有する小形ライト」、
(2)「照明ファイバ束」の端面、
(3)「テーパ部分」、
(4)「内部電源としての電池パック」及び
(5) 小形ライトとテーパ部分とを内蔵する「内部光源35の収納部分」
は、本件発明1の
(1)「ランプ」又は「高輝度ランプ」、
(2)「ライトガイド基端面」、
(3)「光端側へしだいに縮径状のテーパファイバ」、
(4)「電源」及び
(5)「ケーシング」
に相当する。
　してみると、両者は「ランプとライトガイド基端面との間に、光端側へしだいに縮径状のテーパファイバを介装し、かつ、上記ランプを高輝度ランプとすると共に、かつ上記ランプと、上記テーパファイバとを、ケーシングに設けたことを特徴とする光源装置。」の点で一致し、以下の[相違点1]、[相違点2]及び[相違点3]の点で相違する。
　
[相違点1]
　本件発明1のランプは、その出射角が20°以下の光成分の比率が前方全光量の1/2以上であるところの低出射角であるのに対して、引用発明のランプは、ランプからの出力の大部分が照明ファイバ束48へ伝送されるようにしているものの、その出射角が20°以下の光成分の比率が前方全光量の1/2以上であるところの低出射角であるとは規定していない点。
[相違点2]
　本件発明1は、テーパファイバの入射端の外径をD1、テーパファイバの入射の開口数をNA1、テーパファイバの出射端の外径をD2、テーパファイバの出射の開ロ数をNA2、ライトガイドの外径をD0、コア/クラッド間の屈折率より定まるテーパファイバ固有の開ロ数をNA0としたとき、数式1と数式2と数式3を満たすように設定 (数式1、2、3は前述の「《3-2》本件の発明」参照)しているのに対して、引用発明においては数式1と数式2と数式3を満たすとは記載されていない点。
　[相違点3]
　本件発明1は、ランプと、テーパファイバと、上記ランプを作動させる電源とを、同一ケーシングに内蔵しているのに対して、引用発明は、ランプとテーパ部(テーパファイバ部に相当)とを内部光源35の収納部分(「ケーシング」に相当)に内蔵し、電源パック(電源部に相当)を関節鏡100又はハンドルに設けた点。
　
《3-4-1-2》判断
[相違点1]について:
　まず[相違点1]を検討するに、引用発明は、出力の大部分が照明ファイバ束48へ伝送されるようにするものであるから、引用発明においてランプからの光の放射を照明ファイバ束に集束する光源を用いることが好ましいことは当業者に明らかである。ところで、甲第3号証には、Fig.4に示されているように、従来型では曲線82で、また、アークランプの出力を狭いビームに十分に集束させ狭い角度範囲出力が得られる甲第3号証記載の発明では曲線80で示されるアークランプの出力と放射角度との関係がが明記されている。そして、これらの曲線からみて、出射角が20°以下の光成分の比率が前方全光量の1/2以上であることが明らかである。
　従って、甲第3号証を知る当業者が引用発明を検討した場合、引用発明の光源である小形ライト36''を、その出射角が20°以下の光成分の比率が前方全光量の1/2以上であるところの低出射角のものとすることは容易に想到できたものと認められる。
[相違点2]について:
　次に、[相違点2]について検討する。甲第2号証刊行物には、内視鏡において、端部断面形状が互いに相似又は異なる2つのライトガイドを結合装置のコア部8(テーパファイバに相当)を介して結合するに当たり、式(1)〜(12)の条件(「《3-3》甲第1〜5号証の刊行物における記載事項」参照)を満たすことにより、ライトガイド1からの入射光を径の異なるライトガイド2へ効率よく伝達することが記載されている。
　そして、特許異議申立書の第9頁12行〜同第11頁16行の式(1)〜(12)とそこで使用されるパラメータの技術説明は妥当なものであり、式(1)〜(12)の関係に基づく、甲第2号証のパラメータr1, r2,NA1, NA2, NAkの関係から、甲第2号証刊行物に記載されたライトガイド1,ライトガイド2及びコア部のパラメータの関係が、数式1、数式2及び数式3で規定される範囲と重複することが明らかである。
　ここで、甲第2号証は、2つのライトガイトの間をつなぐためにコア部(テーパファイバに相当)を介在させるものではあるが、「入射端でライトガイド1から光を受け、射出端からライトガイド2に光を渡す機能」を持つものであるから、ランプと照明ファイバ束の端面(ライトガイド基端面に相当)との間のテーパ部(テーパファイバに相当)についても、少なくとも同じ関係を満足するようにパラメータ(テーパ部の入射側の外径と開口数、射出側の外径と開口数、照明ファイバ束の外径)の間の関係を定めれば、光がロスなく伝達できることは明らかである。
　よって、引用発明の、テーパ部分(テーパファイバに相当)の入射端の外径をD1、テーパ部分の入射の開口数をNA1、テーパ部分の出射端の外径をD2、テーパ部分の出射の開ロ数をNA2、照明ファイバ束(ライトガイドに相当)の外径をD0、コア/クラッド間の屈折率より定まるテーパファイバ固有の開ロ数をNA0としたとき、数式1と数式2と数式3を満たすように設定 (数式1、2、3は前述の「《3-2》本件の発明」参照)することは当業者が容易に想到できた事項と認められる。
[相違点3]について:
　引用発明は、電源パック(電源部に相当)が関節鏡又はハンドルに設けられているが、内視鏡装置における個々の構成部材をどこに配置するかは、内視鏡の操作性、各構成部材の機能等を考慮して設計上適宜選択されるのであり、引用発明の電池パックを、ランプとテーパ部分(テーパファイバに相当)を内蔵する内部光源35の収納部分(ケーシングに相当)内に配置することに格別の困難性は見いだせない。
　
　そして、本件発明1の[相違点1]、[相違点2]及び[相違点3]の構成によりもたらされる効果は、甲第1,2,3号証刊行物の記載から予測される範囲のものである。
　従って、本件発明1は、甲第1,2,3号証刊行物に記載された発明に基づいて当業者が容易に発明できたものである。
　
《3-4-2》(本件発明2)
　本件発明2は、本件発明1の光源装置のテーパファイバについて、「テーパファイバが多成分ガラスファイバ母材から作られ、そのテーパファイバ固有の開口数NA0を、0.4以上」とする事項によりさらに構成を限定したものである。しかし、甲第4号証刊行物において、内視鏡装置の光源ユニットの、コニカルコンジット(テーパファイバに相当)のNAを0.57とすることが公知であり、テーパファイバの開口数について、0.4以上とすることは普通に選択される範囲であるから、引用発明のテーパ部分(テーパファイバに相当)の開口数を0.4以上とすることは当業者にとって何ら格別の困難を伴うものとは認められない。また、光ファイバを多成分系ガラスで形成することは周知 (例えば、甲第5号証刊行物の「防熱用部材8,9」(引用発明のテーパ部分に相当)の材料であるF2ガラス)であるから、引用発明のテーパ部分(テーパファイバに相当)を多成分ガラスファイバ母材から作った点は何ら格別の技術事項とは認められない。
　なお、本件発明2と引用発明との間に存在する前記[相違点1]、[相違点2]及び[相違点3]については、(本件発明1)で述べたとおりである。
　よって、本件発明2は、甲第1〜4号証刊行物に記載された発明に基づいて当業者が容易に発明できたものである。
　
《2-5》むすび
　従って、本件の請求項1、2に係る発明は特許法第29条第2項の規定に違反して特許されたものであり、本件の請求項1、2に係る発明の特許は特許法113条第2号に該当し、取り消されるべきものである。
　よって、結論のとおり決定する。
【異議決定日】
平成１２年１２月１１日（２０００．１２．１１）
【訂正の要旨】
訂正の要旨
　特許権者が求めている訂正の内容は以下のとおりである。
　訂正事項ａ：明細書の第１頁の特許請求の範囲における請求項１において、
「以下の数式１と数式２と数式３を満たすように設定したことを特徴とする光源装置。」とあるのを、似下の数式１と数式２と数式３を満たすように設定し、かつ、上記ランプと、上記テーパファイバと、上記ランプを作動させる電源とを、同一ケーシングに内蔵したことを特徴とする光源装置。」と訂正する。
　訂正事項ｂ：明細書の【符号の説明】に、「１電源」を追加する。
（５４）【発明の名称】
光源装置
（５７）【特許請求の範囲】
　　【請求項１】　ランプとライトガイド基端面との間に、光端側へしだいに縮径状のテーパファイバを介装し、かつ、上記ランプをその出射角が２０°以下の光成分の比率が前方全光量の１／２以上であるところの低出射角の高輝度ランプとすると共に、上記テーパファイバの入射端の外径をＤ１、テーパファイバの入射の開口数をＮＡ１、テーパファイバの出射端の外径をＤ２、テーパファイバの出射の開口数をＮＡ２、ライトガイドの外径をＤ０、コア／クラッド間の屈折率より定まるテーパファイバ固有の開口数をＮＡ０としたとき、以下の数式１と数式２と数式３を満たすように設定し
、かつ、上記ランプと、上記テーパーファイバと、上記ランプを作動させる電源とを、同一ケージングに内蔵した
　【数１】
　　　　　　　０．９　≦Ｄ２／Ｄ０　≦　１．５
　【数２】
　　　　　　　１．１　≧（Ｄ１・ＮＡ１）／（Ｄ２・ＮＡ２）≧　０．７
　【数３】
　　　　　　　ＮＡ２　≦　１．１・ＮＡ０
　【請求項２】　テーパファイバが多成分ガラスファイバ母材から作られ、そのテーパファイバ固有の開口数ＮＡ０を、０．４以上とした請求項１記載の光源装置。
【発明の詳細な説明】
　　【０００１】
　【発明の属する技術分野】
　本発明は、ライトガイドを有する医療用内視鏡や産業用ファイバスコープ等に用いられる光源装置に関する。
　　【０００２】
　【従来の技術】
　例えば、内視鏡用光源装置としては、従来、１００Ｗ以上のランプを使用し、重量は１ｋｇ以上と大型のものであった。その理由は、内視鏡のライトガイド基端（入射端）との結合効率―――ランプの全発光光束数の内でライトガイドに有効に入射される光量の割合（百分率）―――が１％以下と極めて低効率であったためである。
　　【０００３】
　【発明が解決しようとする課題】
　従来の光源装置は、そのため内視鏡本体とは別体のケーシングに納めて、ライトガイドを有するコードにて内視鏡本体と、接続されていた。従って、移動・運搬に不便であると共に、電力消費も多かった。勿論、産業用ファイバスコープとしても、移動・運搬に不便であるという問題があった。
　　【０００４】
　【課題を解決するための手段】
　本発明に係る光源装置は、ランプとライトガイド基端面との間に、光端側へしだいに縮径状のテーパファイバを介装し、かつ、上記ランプを低出射角の高輝度ランプとしたものである。
　　【０００５】
　また、テーパファイバの入射端の外径をＤ１、テーパファイバの入射の開口数をＮＡ１、テーパファイバの出射端の外径をＤ２、テーパファイバの出射の開口数をＮＡ２、ライトガイドの外径をＤ０、コア／クラッド間の屈折率より定まるテーパファイバ固有の開口数をＮＡ０としたとき、
　【数１】
　【数２】
　【数３】
上記の数式１と数式２と数式３を満たすように設定した。
　　【０００６】
　また、テーパファイバが多成分ガラスファイバ母材から作られ、そのテーパファイバ固有の開口数ＮＡ０を、０．４以上とした。
　　【０００７】
　【発明の実施の形態】
　以下、図面に基づき本発明の実施の形態を詳説する。
　　【０００８】
　図１と図４に於て、１は電源であり、商用電源、又は、リチウム電池、ニッカド電池、一次・二次電池等が用いられ、２は、ランプであって、前方レンズ付きのキセノンコンパクトランプ、メタルハライドランプ、ハロゲンランプ等が用いられる。
　　【０００９】
　特に、ランプ２としては、低出射角の高輝度ランプとする。即ち、図２に示すようにランプ２の出射角２θ１が２０°以下の光成分の比率が前方全光量の１／２以上のものを、「低出射角の高輝度ランプ」と呼ぶ。
　　【００１０】
　３はライトガイドであって、このライトガイド３の基端面３ａとの間に、先端側へしだいに縮径状のテーパファイバ４を介装する。このテーパファイバ４は多成分ガラスファイバ母材を（加熱）延伸して作られ、そのテーパファイバ固有の開口数ＮＡ０は０．４以上とする。即ち、　ＮＡ０≧０．４　とする。
　　【００１１】
　なお、図１に於て、５はライトガイドプラグの一部品であり、軸心孔６の基端側孔部にテーパファイバ４を挿入して接着剤等で固着し、その先端の出射端４ｂを、軸心孔６の中間細径部に挿入する。他方、７はライトガイドカバーであり、その先端から僅かに露出状に突出したライトガイド３の基端を、この中間細径部へ挿入して、テーパファイバ４の出射端４ｂと突き合わせ状に当接し、又は、微小間隙をもって対面させる。
　　【００１２】
　図２・図３は図１又は図４の要部を拡大かつ簡略化して図示した説明図であって、その図２と図３に示すように、テーパファイバ４の（大径の）入射端４ａの外径をＤ１、その入射の開口数をＮＡ１、その出射端４ｂの外径をＤ２、その出射の開口数をＮＡ２、ライトガイド３の外径をＤ０とし、かつ、（既述のように）テーパファイバ４の固有の開口数をＮＡ０としたとき、以下の数式１と数式２と数式３を満たすように各部寸法と特性を設定する。
　　【００１３】
　【数１】
　　【００１４】
　【数２】
　　【００１５】
　【数３】
　　【００１６】
　上記数式１に於て、０．９未満であるとテーパファイバ４の出射端４ｂが、（ライトガイド基端面３ａの径に比して）余りに小径となり、ライトガイド３の断面の内で有効に活用されない部分が多くなる。逆に、１．５を越えると、テーパファイバ４の出射端４ｂから出射した光量の内で多くの無駄を生じる（有効にライトガイド３内へ伝達されない）。
　　【００１７】
　また、数式２に於て、０．７未満であるとテーパファイバ４の光密度増強能を有効に使い切っておらず、効果の点で問題があり、逆に１．１を越えるとテーパファイバ４の途中で漏れ出る光エネルギーの量が大きくなり、発熱等の問題がある。また、数式３を充満しない場合には、数式２と同様発熱等の問題がある。
　　【００１８】
　（図１と図２に於て、）上述のような電源１とランプ２とテーパファイバ４から光源装置８が構成されている。図４はこのような光源装置８を使用した内視鏡を例示し、この医療用内視鏡では、操作用のグリップ部９と、その先端から延設された適度の可撓性と剛性とを具備した細径挿入部１０とを、有しており、この挿入部１０は、実線と仮想線のように蛮曲可能な先端首振部１１を備えている。
　　【００１９】
　グリップ部９は途中部に首振操作環１２が付設され、この往復動に連動して先端首振部１１が弯曲したり真直状となる。また、グリップ部９の基端には、イメージガイドプラグ１３や洗浄液用プラグ１４等が、設けられ、また、グリップ部９の先端から前記光源装置８に接続されるライトガイド３が分岐している。この図４では、光源装置８は、内視鏡本体とは別体として、別の場所に置いて用いられる。
　　【００２０】
　これに対し、図５に示す他の具体例では、グリップ部９に一体状に、光源装置８を付設して、携帯（移動）可能としたものである。このグリップ部９の基端は、直接に眼を当てる接眼部１５とされ、また、図外の先端首振部（図４参照）を弯曲させる首振り用操作部１６は、回転式として、首振り用ワイヤ１７を巻取るリール１８を回転させる。
　　【００２１】
　そして、グリップ部９の基端（乃至中間部）から突出した分岐部９ａに、約９０°弯曲させてライトガイドの基端を挿入し、かつ、テーパファイバ４を保持する。そして、袋ナット１９を介して、電池１ａとランプ２を内蔵した（電池・ランプ用）ケーシング２０を、着脱自在に取付ける。
　　【００２２】
　このように、電源１として電池１ａを用い、しかも、リチウム電池が長寿命と軽量小型である点、及び、出力電圧・電流が安定している点で望ましい。また、ランプ２は、低出射角の高輝度ランプであって、例えば、１ワットから１０ワット程度の先端レンズ付きハロゲンランプが好適である。このようにして、図５ではコードレスの内視鏡を構成し、移動・運搬を容易とし、術者の活動・使用範囲を拡大し、診断及び治療に使用される。
　　【００２３】
　図５に用いるテーパファイバ４としては、小型化のため、例えば、図３に於て、Ｄ１＝３．６ｍｍ、Ｄ２＝１．２８ｍｍ、長さＬを３０ｍｍ〜５０ｍｍ等とするのが良い。なお、（図５の代りに）テーパファイバ４を着脱自在としたケーシング２０側に配設するも自由である（図示省略）。即ち、グリップ部９から突出した分岐部９ａに、ライトガイドの基端部を保持し、他方、袋ナット１９を介して、電池１ａとランプ２とテーパファイバ４とを内蔵したケーシング２０を、着脱自在として、上記分岐部９ａに、取付ける構造とすることも自由である。なお、本発明の光源装置を産業用ファイバスコープに用いるも好ましい。
　　【００２４】
　【発明の効果】
　本発明は上述の構成により次のような著大な効果を奏する。
　　【００２５】
　▲１▼　有数に光源ランプの光を、ライトガイドに伝達できる。即ち、ランプ２の全発光光束量の約５％〜１０％を、ライトガイド３へ送ることが可能となり、結合効率が著しく向上できる。
　▲２▼従って、光源装置として、電力消費を低減でき、コンパクト化を図り得る。
　これによって、携帯用内視鏡や携帯用（産業用）光ファイバスコープを実現可能となる。
【図面の簡単な説明】
　【図１】
　本発明の実施の一形態の要部拡大説明図である。
　【図２】
　本発明の概要説明図である。
　【図３】
　テーパファイバの説明図である。
　【図４】
　本発明の一の適用例を示す説明図である。
　【図５】
　本発明の他の適用例を示す一部破断要部説明図である。
【符号の説明】
１　電源
２　ランプ
３　ライトガイド
３ａ　基端面
４　テーパファイバ
４ａ　入射端
４ｂ　出射端
８　光源装置